(57)【要約】【課題】表示装置を利用する利用者の人数又は位置が変化した場合でも、簡単且つ迅速に全ての利用者に対して正しい方向で画像を表示することを可能にする表示装置及び表示方法を提供する。【解決手段】表示装置１は、画像を表示するための表示部１４を備え、表示部１４の表示画面が横姿勢になるように設置される。表示装置１は、表示画面における画像の位置情報を検出する位置検出部１６と、表示画面に表示された画像を移動する移動操作を検出する座標情報処理部１７と、画像の位置情報に基づいて、移動された画像が前記表示画面の所定の位置に達したか否かを判定する制御部１１と、移動された画像が前記所定の位置に達した場合に、該画像の表示の向きを変更させる表示制御部１５とを備える。【選択図】図１
2018055726.tif 000002
【特許請求の範囲】
【請求項１】
画像を表示するための表示部と、
前記表示部の表示画面に表示される画像を移動する移動操作を検出する操作検出部と、
前記表示画面に表示される画像の位置情報を検出する位置検出部と、
前記画像が前記表示画面の一辺近傍の位置に設定された検出ラインに達した場合に、該画像を該一辺に正対するように表示させる表示制御部と、
を備える表示装置。
【請求項２】
前記表示制御部は、前記位置検出部にて検出した画像の位置情報に基づいて、移動された画像が前記表示画面の一辺近傍の位置に設定された検出ラインに達したか否かを判定する判定部を含み、
前記位置検出部は、前記移動された画像における特定点の座標を前記位置情報として検出し、
前記判定部は、前記位置検出部にて検出した特定点の座標と、予め記憶された前記検出ラインの座標とを比較することにより、前記移動された画像が前記検出ラインに達したか否かを判定する、
請求項１に記載の表示装置。
【請求項３】
前記表示画面は矩形であり、
前記表示制御部は、前記判定部にて前記移動された画像が前記検出ラインに達したと判定した場合に、該画像を特定の側が該一辺に正対するように表示させる、
請求項２に記載の表示装置。
【請求項４】
前記表示制御部は、前記判定部にて前記移動された画像が前記検出ラインに達したと判定した場合に、該画像を前記特定の側が前記一辺に正対するまで回転させる、
請求項３に記載の表示装置。
【請求項５】
画像を表示するための表示部を備える表示装置における表示方法であって、
前記表示部の表示画面に表示される画像を移動する移動操作を検出し、
前記表示画面に表示される画像の位置情報を検出し、
前記画像が前記表示画面の一辺近傍の位置に設定された検出ラインに達した場合に、該画像を該一辺に正対するように表示させる、
表示方法。
【発明の詳細な説明】
【技術分野】
【０００１】
本発明は、表示画面が横姿勢になるように設置される表示装置、及び該表示装置における表示方法に関する。
【背景技術】
【０００２】
近年、集合会議等に用いられるテーブル型ディスプレイとして、様々な構成のものが実用化されている。特に、タッチパネルをディスプレイに一体化したテーブル型ディスプレイは、複数の利用者が同時に利用して議論等を行うことができるので、注目されている。
【０００３】
このようなテーブル型ディスプレイでは、複数の利用者がテーブル型ディスプレイを囲んで対面して着座し、１枚の画像を表示した場合、画像に正対する利用者には読み易いが、正対していない利用者には読み難いという問題がある。この問題を解決すべく、利用者が読み易い形態で画像を表示する各種発明が提案されている。
【０００４】
特許文献１には、共有ディスプレイを用いて協調作業を行うためのシステムが開示されている。このシステムでは、予め提示する可能性のある情報のフラグを割り当て、該フラグを含むメタデータを蓄積し、夫々の情報を各参加者に提示する際、提示すべき内容及び形態をメタデータを用いて決定し、各参加者用の画像表示装置に送信することにより、共有のディスプレイ上に参加者夫々が必要とする情報だけを提示するか、あるいは、夫々が見易い形態で情報を提示することが可能である。
【０００５】
特許文献２には、電子文書の内容を判読可能なオリジナル画像を移動させる操作に応じて、そのオリジナル画像を待機状態にして表示できる表示装置が開示されている。この表示装置では、テーブル型表示装置の画面の縁の内部の表示領域に、作業領域と待機領域とを設け、画面の縁の外部の非表示領域に仮想領域を設けてあり、作業領域に表示されたオリジナル画像を待機領域へドラッグして指を離すと、オリジナル画像がサムネイル化されて表示される。
【先行技術文献】
【特許文献】
【０００６】
【特許文献１】特開２００５−１６５６０３号公報
【特許文献２】特開２００８−２１７７４２号公報
【発明の概要】
【発明が解決しようとする課題】
【０００７】
しかしながら、特許文献１のシステムは、予め各々の情報の内容の他に、その種別、デフォルト位置・向き、位置選択肢、向き選択肢のようなメタデータを格納する構成であるので、例えば利用者の人数又は位置が変化した場合、提示する可能性のある情報及びそのメタデータを再設定する必要があり、簡単且つ迅速に利用者夫々が見易い形態で情報を提示することはできない。
【０００８】
特許文献２の表示装置は、電子文書の内容を判読可能なオリジナル画像を待機状態にして表示できるが、該オリジナル画像を全ての利用者に対して正しい方向で表示することができない。
【０００９】
本発明は斯かる事情に鑑みてなされたものであり、移動された画像が表示画面の所定の位置に達した場合に、該画像の表示の向きを変更させることによって、表示装置を利用す
る利用者の人数又は位置が変化した場合でも、簡単且つ迅速に全ての利用者に対して正しい方向で画像を表示することを可能にする表示装置及び表示方法を提供することを目的とする。
【課題を解決するための手段】
【００１０】
本発明に係る表示装置は、画像を表示するための表示部を備え、該表示部の表示画面が横姿勢になるように設置される表示装置であって、予め定められた方法で画像を複製する画像複製手段と、前記画像複製手段で複製した画像を配布する画像配布手段と、前記表示画面に前記複製された画像を前記画像配布手段にて移動する移動操作を検出する操作検出手段と、前記操作検出手段による移動操作の検出に応じて、移動された画像の位置情報を検出する位置検出手段と、前記位置検出手段にて検出した画像の位置情報に基づいて、移動された画像が前記表示画面の一辺近傍の位置に設定された検出ラインに達したか否かを判定する判定手段と、前記判定手段にて前記移動された画像が前記検出ラインに達したと判定した場合に、該画像を該一辺に正対するように表示させる表示制御手段とを備えることを特徴とする。
【００１１】
本発明に係る表示装置は、前記位置検出手段は、前記移動された画像における特定点の座標を前記位置情報として検出するようにしてあり、前記判定手段は、前記位置検出手段にて検出した特定点の座標と、予め記憶された前記検出ラインの座標とを比較することにより、前記移動された画像が前記検出ラインに達したか否かを判定するようにしてあることを特徴とする。
【００１２】
本発明に係る表示装置は、前記表示画面は矩形であり、前記表示制御手段は、前記判定
手段にて前記移動された画像が前記検出ラインに達したと判定した場合に、該画像を特定の側が該一辺に正対するように表示させるようにしてあることを特徴とする。
【００１３】
本発明に係る表示装置は、前記表示制御手段は、前記判定手段にて前記移動された画像が前記検出ラインに達したと判定した場合に、該画像を前記特定の側が前記一辺に正対するまで回転させるようにしてあることを特徴とする。
【００１４】
本発明に係る表示方法は、画像を表示するための表示部を備え、該表示部の表示画面が横姿勢になるように設置される表示装置における表示方法であって、予め定められた方法で画像を複製し、複製された画像を配布し、前記表示画面に前記複製された画像を配布により移動する移動操作を検出し、前記移動操作の検出に応じて、移動された画像の位置情報を検出し、検出された画像の位置情報に基づいて、前記移動された画像が前記表示画面の一辺近傍の位置に設定された検出ラインに達したか否かを判定し、前記移動された画像が前記検出ラインに達したと判定した場合に、該画像を該一辺に正対するように表示させることを特徴とする。
【発明の効果】
【００１５】
本発明によれば、上述したような表示装置を使用することによって、表示装置の利用者の人数又は位置が変化した場合でも、簡単且つ迅速に全ての利用者に対して正しい方向で画像を表示することができる。また、表示装置の利用者は、簡単なコピー操作及び移動操作のみにより、表示画面に表示されている画像が示す資料を容易にほかの利用者に配布すると共に、全ての利用者に対して正しい方向で資料を提示することができる。
【図面の簡単な説明】
【００１６】
【図１】本発明の実施形態に係る表示装置の構成を示すブロック図である。
【図２】本発明の実施形態に係る表示装置で資料を配布する前の状態を説明するための概念図である。
【図３】利用者の配布操作を説明する概念図である。
【図４】利用者の配布操作を説明する概念図である。
【図５】利用者の配布操作を説明する概念図である。
【図６】利用者の配布操作を説明する概念図である。
【図７】本発明の実施形態に係る表示装置で資料を配布した効果を説明するための概念図である。
【図８】制御部の配布操作処理の処理手順を示すフローチャートである。
【図９】コピー画像の表示の向きを変更する処理の手順を示すフローチャートである。
【発明を実施するための形態】
【００１７】
図１は、本発明の実施形態に係る表示装置１の構成を示すブロック図である。本発明に係る表示方法は表示装置１で実行される。表示装置１は、制御部１１、一時記憶部１２、記憶部１３、表示部１４、表示制御部１５、位置検出部１６、及び座標情報処理部１７を備える。
【００１８】
制御部１１は、ＣＰＵ又はＭＰＵ等の演算処理装置を用い、記憶部１３に記憶されているプログラムを一時記憶部１２に読み出して実行することにより、表示部１４、表示制御部１５、位置検出部１６及び座標情報処理部１７を制御する。制御部１１は本発明の判定手段を構成する。
【００１９】
一時記憶部１２にはＳＲＡＭ又はＤＲＡＭ等のＲＡＭを用いる。一時記憶部１２には、上述のように読み出されるプログラムが記憶されると共に、制御部１１等の処理によって発生する情報が記憶される。一時記憶部１２に記憶される情報は、制御部１１によって書き込み及び読み出しが行われる。
【００２０】
記憶部１３には、ＥＥＰＲＯＭ（Electrically Erasable Programmable ROM）又はフラッシュメモリ等の不揮発性メモリを用いる。記憶部１３には、制御部１１で実行されるプログラムと、制御部１１が制御時に参照する条件例えば後述する表示回転検出ラインの交点の座標等と、表示装置１の機能を実現するためのプログラム及びデータとが予め記憶されている。他に、表示装置１における他のアプリケーションソフトウェアプログラムが記憶されていてもよい。記憶部１３にはハードディスク又はＳＳＤ等の外部装置を用いてもよい。
【００２１】
表示部１４は、例えば液晶ディスプレイによって構成される。本実施の形態では、表示部１４は、後述する矩形の表示画面２０（図２を参照）を有し、表示画面２０が横姿勢になるように設置される。表示部１４は、後述する表示制御部１５の制御に応じて画像を表示する。
【００２２】
位置検出部１６は、タッチパネル１６１を有する。タッチパネル１６１は表示部１４の表示画面を覆うように設けられている。位置検出部１６は、タッチペン又は指等の指示具によるクリック、ダブルクリック、ムーブ、フリック等の操作を受け付ける。
【００２３】
位置検出部１６は、指示具の表示画面上の操作位置を表す座標情報と、操作対象となる画像の表示画面上の位置を表す座標情報とを検出して制御部１１に出力する。位置検出部１６は本発明の位置検出手段を構成する。また、位置検出部１６はマウス、又はキーボード等のポインティングデバイスを有する構成であってもよい。
【００２４】
本実施の形態では、座標情報は、表示部１４が有する表示画面内の位置をＸＹ座標で表す情報である。ＸＹ座標は、例えば、後述する図２に示すように、表示画面が矩形であり、表示画面の長辺である一辺を手前側とする場合、表示画面の左上を原点とし、右方向がＸ軸の正方向、かつ下方向がＹ軸の正方向である座標として表される。
【００２５】
座標情報処理部１７は、位置検出部１６から出力した操作位置の座標情報に基づいて、操作の内容を検出して制御部１１に通知する。座標情報処理部１７は、本発明の操作検出手段を構成する。
【００２６】
本実施の形態では、タッチパネル１６１が例えば、２本の指又は両手によるマルチタッチ操作を受け付けた場合、座標情報処理部１７は、位置検出部１６から出力した操作位置の座標情報に基づいて、コピー操作であるか否かを判定する。具体的には、一方の操作位置の座標が固定し、他方の操作位置の座標が変化する場合、コピー操作であると判定する。両方の操作位置の座標が変化する場合、ピンチアウト又はピンチインであると判定する。
【００２７】
表示制御部１５は、操作情報生成部１５１、画像処理部１５２及び画像合成部１５３を備え、制御部１１の指示に応じて、表示部１４への表示を制御する。表示制御部１５は本発明の表示制御手段を構成する。
【００２８】
操作情報生成部１５１は、位置検出部１６がタッチ操作を受け付けた場合、カーソル、画像が選択されたときに表示する情報等のタッチ操作に必要な表示情報を生成する。画像処理部１５２は、座標情報処理部１７にて検出した操作の内容に応じて画像を処理し、例えば、画像のコピー、移動及び回転に使用される。画像合成部１５３は、操作情報生成部１５１にて生成した表示情報と、画像処理部１５２にて処理した画像とを合成して、表示部１４に表示すべき画像の画像データを生成する。
【００２９】
図２は本発明の実施形態に係る表示装置１で資料を配布する前の状態を説明するための概念図である。図２において、５人の利用者が矩形の表示画面２０を囲んで着座している。ここで、５人の利用者のうち、図２の下部における長辺である辺２１側に居る利用者２１ａは、手前に正しい方向で表示されている表示画面３０が示す資料を、辺２１に対向する辺２２側に居る２人の利用者２２ａ、２２ｂ、及び両側の短辺である辺２３、２４側に居る２人の利用者２３ａ、２４ａに配布する。
【００３０】
また、図２において、表示画面２０上に表示回転検出ライン２１Ｄ、２２Ｄ、２３Ｄ、２４Ｄが点線で示されている。表示回転検出ライン２１Ｄ、２２Ｄ、２３Ｄ、２４Ｄ夫々は、表示画面２０の各辺２１、２２、２３、２４近傍に位置し、各辺２１、２２、２３、２４に平行な仮想線であり、移動された画像が表示画面２０の所定の位置に達したか否かを判定するために予め設定される。図２に示すような場合には、移動された画像における特定な点が表示回転検出ライン２２Ｄ、２３Ｄ、２４Ｄと辺２２、２３、２４との間に達した場合、移動された画像が表示画面２０の所定の位置に達したと判定される。表示回転検出ライン２１Ｄ、２２Ｄ、２３Ｄ、２４Ｄ夫々と、表示画面２０の各辺２１、２２、２３、２４との距離は表示画面２０の大きさに応じて任意に設定することができる。
【００３１】
本実施の形態では、移動される画像における特定な点は画像の中心点とされるが、中心点に限らず、画像における任意の点であってもよい。また、表示回転検出ライン２２Ｄ及び２４Ｄの交点Ａの座標Ａ（ＸDmin，ＹDmin）と、表示回転検出ライン２１Ｄ及び２３Ｄの交点Ｂの座標Ｂ（ＸDmax，ＹDmax）とが判定用の座標として記憶部１３に予め記憶され、移動された画像の中心点の座標と予め記憶される交点の座標とを比較することにより、移動された画像が表示画面の所定の位置に達したか否かを判定する。
【００３２】
図３〜図６は利用者２１ａの配布操作を説明する概念図である。利用者２２ａへの配布を例として説明する。本実施の形態では、指示具は利用者２１ａの両手である。図３に示すように、利用者２１ａは左手２及び右手３で表示画面に表示されている画像３０を押さえる。次に、利用者２１ａは、図４に示すように、左手２で画像３０を押さえ続け、右手
３をスライドさせることにより、画像３０のコピー操作を指示する。利用者２１ａの操作に応じて、画像３０がコピーされ、表示画面２０上にコピー画像３１が表示される。
【００３３】
次に、コピー画像３１を表示画面２０上で移動させる。コピー画像３１を移動させる操作として、図５に示すスライド動作であってもよく、図６に示すはじく動作であってもよい。図５では、利用者２１ａは、右手３のスライド動作を続け、配布先である利用者２２ａの方向へコピー画像３１を移動させる。コピー画像３１は右手３の移動に従って表示画面２０上を移動する。コピー画像３１の中心点が辺２２側の表示回転検出ライン２２Ｄに達した場合、コピー画像３１は地側が辺２２に正対するまで回転されて、天地方向が反転するように表示される。このように、利用者２２ａに対して、コピー画像３１が正しい方向で表示される。
【００３４】
図６では、利用者２１ａは、右手３で配布先である利用者２２ａの方向へコピー画像３１をはじく。右手３のはじく動作に応じて、コピー画像３１は右手３のはじく方向に沿って表示画面２０上を移動する。ここで、資料が配布されていることが見えるようにコピー画像３１をゆっくり移動させることが好ましい。コピー画像３１の中心点が辺２２側の表示回転検出ライン２２Ｄに達した場合、コピー画像３１は地側が辺２２に正対するまで回転されて、天地方向が反転するように表示される。このように、利用者２２ａに対して、コピー画像３１が正しい方向で表示される。
【００３５】
図７は本発明の実施形態に係る表示装置１で資料を配布した効果を説明するための概念図である。利用者２１ａは図３及び図４に示す操作により、画像３０をコピーし、図５及び／又は図６に示す操作により、コピーにより形成されたコピー画像３１、３２、３３、３４を、夫々に利用者２２ａ、２２ｂ、２３ａ、２４ａの方向に移動する。
【００３６】
図７に示すように、利用者２２ａ、２２ｂ、２３ａ、２４ａ夫々に対して、コピー画像３１、３２、３３、３４夫々の地側が辺２２、２３、２４に正対して表示される。このように、利用者が図２に示すように着席する場合、利用者２１ａは、コピー操作及び移動操作を４回繰り返すことで、事前に準備することなく、表示画面２０に表示される画像３０が示す資料を容易に配布すると共に、各利用者に対して正しい方向で資料を提示することができる。
【００３７】
図８は制御部１１の配布操作処理の処理手順を示すフローチャートである。指示具が表示画面２０に接触した場合、この処理が開始される。
【００３８】
制御部１１は、座標情報処理部１７からコピー操作が検出された旨の通知があったか否かを判定する（ステップＳ１）。制御部１１は、座標情報処理部１７からコピー操作が検出された旨の通知がないと判定した場合（ステップＳ１：ＮＯ）、処理を後述するステップＳ３に進める。
【００３９】
制御部１１は、座標情報処理部１７からコピー操作が検出された旨の通知があったと判定した場合（ステップＳ１：ＹＥＳ）、コピー操作を表示制御部１５に指示する（ステップＳ２）。表示制御部１５は、制御部１１の指示に応じて、コピー操作の対象となる画像と同じコピー画像を表示部１４に表示させる。
【００４０】
制御部１１は、位置検出部１６から出力した操作位置の座標が変化したか否かを判定する（ステップＳ３）。制御部１１は、位置検出部１６から出力した操作位置の座標が変化していないと判定した場合（ステップＳ３：ＮＯ）、所定の時間例えば１秒を超えたか否かを判定し（ステップＳ４）、所定の時間を超えたと判定した場合（ステップＳ４：ＹＥＳ）、処理を終了させる。
【００４１】
制御部１１は、所定の時間を超えていないと判定した場合（ステップＳ４：ＮＯ）、処理をステップＳ３に戻す。制御部１１は、位置検出部１６から出力した操作位置の座標が変化したと判定した場合（ステップＳ３：ＹＥＳ）、座標情報処理部１７からはじく動作が検出された旨の通知があったか否かを判定する（ステップＳ５）。
【００４２】
制御部１１は、座標情報処理部１７からはじく動作が検出された旨の通知があったと判定した場合（ステップＳ５：ＹＥＳ）、現在のモードをはじくモードに設定し（ステップＳ６）、はじくモードにおけるコピー画像の移動表示を表示制御部１５に指示する（ステップＳ７）。表示制御部１５は、制御部１１の指示に応じて、移動されるコピー画像をはじく方向に沿って表示画面２０上をゆっくり移動するように表示させる。
【００４３】
制御部１１は、座標情報処理部１７からはじく動作が検出された旨の通知がないと判定した場合（ステップＳ５：ＮＯ）、現在のモードをドラッグモードに設定し（ステップＳ８）、ドラッグモードにおけるコピー画像の移動表示を表示制御部１５に指示する（ステップＳ９）。表示制御部１５は、制御部１１の指示に応じて、移動されるコピー画像を指示具の移動に従って表示画面２０上を移動するように表示させる。
【００４４】
制御部１１は、移動されたコピー画像の中心点が表示回転検出ラインに達したか否かを判定し（ステップＳ１０）、移動されたコピー画像の中心点が表示回転検出ラインに達していないと判定した場合（ステップＳ１０：ＮＯ）、処理をステップＳ５に戻す。
【００４５】
制御部１１は、移動されたコピー画像の中心点が表示回転検出ラインに達したと判定した場合（ステップＳ１０：ＹＥＳ）、移動されたコピー画像の表示の向きを変更することを表示制御部１５に指示する（ステップＳ１１）。表示制御部１５は、制御部１１の指示に応じて、移動されたコピー画像の表示の向きを変更させる。
【００４６】
制御部１１は、移動されたコピー画像をペーストする（ステップＳ１２）。次に、制御部１１はモードをクリアし（ステップＳ１３）、処理を終了させる。
【００４７】
図９はコピー画像の表示の向きを変更する処理の手順を示すフローチャートである。制御部１１は、移動されたコピー画像の中心点のＹ座標が前述した交点ＡのＹ座標ＹDminより小さいか否かを判定する（ステップＳ１１１）。
【００４８】
制御部１１は、移動されたコピー画像の中心点のＹ座標が交点ＡのＹ座標ＹDminより小さいと判定した場合（ステップＳ１１１：ＹＥＳ）、移動されたコピー画像を１８０度回転することを表示制御部１５に指示し（ステップＳ１１２）、処理をリターンする。
【００４９】
制御部１１は、移動されたコピー画像の中心点のＹ座標が交点ＡのＹ座標ＹDminより小さくないと判定した場合（ステップＳ１１１：ＮＯ）、移動されたコピー画像の中心点のＸ座標が前述した交点ＢのＸ座標ＸDmaxより大きいか否かを判定する（ステップＳ１１３）。
【００５０】
制御部１１は、移動されたコピー画像の中心点のＸ座標が交点ＢのＸ座標ＸDmaxより大きいと判定した場合（ステップＳ１１３：ＹＥＳ）、移動されたコピー画像を反時計回りの方向へ９０度回転することを表示制御部１５に指示し（ステップＳ１１４）、処理をリターンする。
【００５１】
制御部１１は移動されたコピー画像の中心点のＸ座標が交点ＢのＸ座標ＸDmaxより大きくないと判定した場合（ステップＳ１１３：ＮＯ）、移動されたコピー画像の中心点のＸ
座標が交点ＡのＸ座標ＸDminより小さいか否かを判定する（ステップＳ１１５）。
【００５２】
制御部１１は、移動されたコピー画像の中心点のＸ座標が交点ＡのＸ座標ＸDminより小さいと判定した場合（ステップＳ１１５：ＹＥＳ）、移動されたコピー画像を反時計回りの方向へ２７０度回転することを表示制御部１５に指示し（ステップＳ１１６）、処理をリターンする。
【００５３】
制御部１１は、移動されたコピー画像の中心点のＸ座標が交点ＡのＸ座標ＸDminより小さくないと判定した場合（ステップＳ１１５：ＮＯ）、移動されたコピー画像の中心点のＹ座標が交点ＢのＹ座標ＹDmaxより大きいか否かを判定する（ステップＳ１１７）。
【００５４】
制御部１１は、移動されたコピー画像の中心点のＹ座標が交点ＢのＹ座標ＹDmaxより大きいと判定した場合（ステップＳ１１７：ＹＥＳ）、移動されたコピー画像を０度回転することを表示制御部１５に指示し（ステップＳ１１８）、処理をリターンする。
【００５５】
制御部１１は、移動されたコピー画像の中心点のＹ座標が交点ＢのＹ座標ＹDmaxより大きくないと判定した場合（ステップＳ１１７：ＮＯ）、画面をキープし（ステップＳ１１９）、処理をリターンする。
【００５６】
以上の実施の形態では、表示回転検出ラインを矩形の表示画面に適用しているが、必要に応じて他の形状の表示画面に適用してもよい。
【００５７】
以上の実施の形態では、画像を地側が表示画面の辺に正対するように表示させる例について説明したが、必要に応じて画像を任意の特定の側が表示画面の辺に正対するように表示させてもよい。
【００５８】
以上の実施の形態では、画像が所定の位置に達した場合に画像の回転処理を表示させる例について説明したが、画像の回転処理を表示させなくてもよい。
【００５９】
本発明に係る表示装置（１）は、画像（３０、３１、３２、３３、３４）を表示するための表示部（１４）を備え、該表示部（１４）の表示画面（２０）が横姿勢になるように設置される表示装置（１）であって、前記表示画面（２０）に表示された画像（３０、３１、３２、３３、３４）を移動する移動操作を検出する操作検出手段（１７）と、前記操作検出手段（１７）による移動操作の検出に応じて、移動された画像（３１、３２、３３、３４）の位置情報を検出する位置検出手段（１６）と、前記位置検出手段（１６）にて検出した画像（３１、３２、３３、３４）の位置情報に基づいて、移動された画像（３１、３２、３３、３４）が前記表示画面（２０）の所定の位置に達したか否かを判定する判定手段（１１）と、前記判定手段（１１）にて前記移動された画像（３１、３２、３３、３４）が前記所定の位置に達したと判定した場合に、該画像（３１、３２、３３、３４）の表示の向きを変更させる表示制御手段（１５）とを備えることを特徴とする。
【００６０】
本発明においては、移動された画像が予め定めた領域に入るとき、自動的にその表示の向きを変更することができる。このように、表示装置の利用者の人数又は位置が変化した場合でも、簡単且つ迅速に全ての利用者に対して正しい方向で画像を表示することを可能にする。また、表示装置の利用者は、簡単な移動操作で表示画面に表示される画像が示す資料を容易にほかの利用者に配布すると共に、全ての利用者に対して正しい方向で資料を提示することを可能にする。
【００６１】
本発明に係る表示装置（１）は、前記位置検出手段（１６）は、前記移動された画像（３１、３２、３３、３４）における特定点の座標を前記位置情報として検出するようにし
てあり、前記判定手段（１１）は、前記位置検出手段（１６）にて検出した特定点の座標と、予め記憶された前記所定の位置の座標とを比較することにより、前記移動された画像（３１、３２、３３、３４）が前記表示画面（２０）の所定の位置に達したか否かを判定するようにしてあることを特徴とする。
【００６２】
本発明においては、移動された画像における特定点の座標と、予め記憶された所定の位置の座標とを比較して、移動された画像が表示画面の所定の位置に達したか否かを判定することにより、画像が所定の位置に移動された場合に自動的に画像の表示の向きを変更することを可能にする。
【００６３】
本発明に係る表示装置（１）は、前記表示画面（２０）は矩形であり、前記所定の位置は前記表示画面（２０）の予め定めてある一辺（２１、２２、２３、２４）近傍の位置であり、前記表示制御手段（１５）は、前記判定手段（１１）にて前記移動された画像（３１、３２、３３、３４）が前記所定の位置に達したと判定した場合に、該画像（３１、３２、３３、３４）を特定の側が該一辺（２１、２２、２３、２４）に正対するように表示させるようにしてあることを特徴とする。
【００６４】
本発明においては、画像を表示画面の任意の一辺の近傍に移動しても、該一辺に居る利用者に対して正しい方向で表示することができる。このように、表示装置の利用者は、簡単な移動操作で表示画面に表示される画像が示す資料を容易にほかの利用者に配布すると共に、全ての利用者に対して正しい方向で資料を提示することを可能にする。
【００６５】
本発明に係る表示装置（１）は、前記表示制御手段（１５）は、前記判定手段（１１）にて前記移動された画像（３１、３２、３３、３４）が前記所定の位置に達したと判定した場合に、該画像（３１、３２、３３、３４）を前記特定の側が前記一辺（２１、２２、２３、２４）に正対するまで回転させるようにしてあることを特徴とする。
【００６６】
本発明においては、移動された画像が所定の位置に達したと判定した場合に、該画像を特定の側が予め定めてある一辺に正対するまで回転させることにより、資料配布時のリアル感を向上させることを可能にする。
【００６７】
本発明に係る表示方法は、画像（３０、３１、３２、３３、３４）を表示するための表示部（１４）を備え、該表示部（１４）の表示画面（２０）が横姿勢になるように設置される表示装置（１）における表示方法であって、前記表示画面（２０）に表示された画像（３０、３１、３２、３３、３４）を移動する移動操作を検出し、前記移動操作の検出に応じて、移動された画像（３１、３２、３３、３４）の位置情報を検出し、検出された画像の位置情報に基づいて、前記移動された画像が前記表示画面の所定の位置に達したか否かを判定し、前記移動された画像が前記所定の位置に達したと判定した場合に、該画像の表示の向きを変更させることを特徴とする。
【００６８】
本発明においては、移動された画像が予め定めた領域に入るとき、自動的にその表示の向きを変更することができる。このように、表示装置の利用者の人数又は位置が変化した場合でも、簡単且つ迅速に全ての利用者に対して正しい方向で画像を表示することを可能にする。また、表示装置の利用者は、簡単な移動操作で表示画面に表示される画像が示す資料を容易にほかの利用者に配布すると共に、全ての利用者に対して正しい方向で資料を提示することを可能にする。
【００６９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図さ
れる。
【符号の説明】
【００７０】
１  表示装置
１１  制御部
１２  一時記憶部
１３  記憶部
１４  表示部
１５  表示制御部
１５１  操作情報生成部
１５２  画像処理部
１５３  画像合成部
１６  位置検出部
１６１  タッチパネル
１７  座標情報処理部
２０  表示画面
【図１】
2018055726.tif 000003
【図２】
2018055726.tif 000004
【図３】
2018055726.tif 000005
【図４】
2018055726.tif 000006
【図５】
2018055726.tif 000007
【図６】
2018055726.tif 000008
【図７】
2018055726.tif 000009
【図８】
2018055726.tif 000010
【図９】
2018055726.tif 000011